(57)【要約】【課題】通常では目視することが困難であってラベル表面を着色することにより正規の真贋判定用画像を目視することができるようにし、イミテーションラベルか正規のラベルかの判断を低コストで簡単に実行可能で、被着体のイミテーション防止に効果があるとともに、ラベルの真贋を判断するための操作ないし手段として、日常簡単に手にすることができるサインペンなどの筆記具を用いることができるセキュリティラベルを提供すること。【解決手段】ラベル基材の表面の一部に剥離性塗剤を塗布することに着目したもので、ラベル基材を有し被着体に貼り付け可能なセキュリティラベルであって、ラベル基材の表面の一部に剥離性塗剤による真贋判定用画像を形成したことを特徴とする。【選択図】        図１
2004177900.tif 000002
【特許請求の範囲】
【請求項１】
ラベル基材を有し被着体に貼り付け可能なセキュリティラベルであって、
前記ラベル基材の表面の一部に剥離性塗剤による真贋判定用画像を形成したことを特徴とするセキュリティラベル。
【請求項２】
前記剥離性塗剤は、
紫外線硬化型シリコーンと、
電子線硬化型シリコーンと、
熱硬化型シリコーンと、
紫外線硬化型シリコーンを含む紫外線硬化型樹脂組成物と、
電子線硬化型シリコーンを含む電子線硬化型樹脂組成物と、
熱硬化型シリコーンを含む熱硬化型樹脂組成物と、
紫外線に対して不活性なシリコーンを含む紫外線硬化型樹脂組成物と、
電子線に対して不活性なシリコーンを含む電子線硬化型樹脂組成物と、
熱に対して不活性なシリコーンを含む熱硬化型樹脂組成物と、のいずれかひとつからこれを選択することを特徴とする請求項１記載のセキュリティラベル。
【請求項３】
前記剥離性塗剤による前記真贋判定用画像は、前記ラベル基材に筆記具により着色して得た着色部とは識別して目視可能であることを特徴とする請求項１記載のセキュリティラベル。
【発明の詳細な説明】
【０００１】
【発明の属する技術分野】
本発明はセキュリティラベルにかかるもので、とくにラベルを貼り付ける被着体すなわちそのラベル自体の真贋を判別可能なセキュリティラベルに関するものである。
【０００２】
【従来の技術】
従来から、機械の補修部品などに製造元や販売元を示すラベルを貼り、これらの部品が適正で正規のものであることを示す場合がある。このラベルは、製造元や販売元のほか、性能や耐久性などを保証するものであるが、デザインを似せたイミテーションラベルを類似品や粗悪な部品（いわゆるイミテーション部品）に貼るという不正行為が行われる場合がある。イミテーション部品が出回ることにより、機械の製造元は、金銭的な損害を被るばかりか、粗悪部品が組み込まれると機械全体の耐久性が維持されず、寿命を縮めるほか、故障や事故の原因になるという問題がある。もちろん、製造元や販売元の信用が損なわれるというという問題がある。
当該イミテーション行為は、機械部品に限らず、衣類やバッグなど知名度が高い商品のほか、ソフトウェアや電気製品など多くの分野で問題になっている。
【０００３】
こうしたイミテーションないし偽造防止のためのラベル（セキュリティラベル）が開発されている。たとえば、紫外線照射を受けて蛍光を発する、いわゆるブラックライトインキを用いたラベルがある。このラベルは、表面にブラックライトインキで画像（印刷）を形成し、蛍光能の有無によって真贋を判断するものである。しかしながら、印刷紙の種類によっては、画像の輪郭を目視することができるため、ブラックライトインキによる印刷を気づかれることがあるとともに、偽造を完全に防ぐことが困難であるという問題がある。
このほか、各種の偽造防止ラベルがあるが、製造コストが高いこと、あるいは偽造か否かを判断するための専用の機器を別に必要とするため真贋判定のための作業が面倒であることおよび判定コスト自体も高いことなどの諸問題がある。
【０００４】
【特許文献１】
特開２００２−７２８８７号公報
【０００５】
【発明が解決しようとする課題】
本発明は以上のような諸問題にかんがみなされたもので、イミテーションラベルか正規のラベルかを判断可能なセキュリティラベルを提供することを課題とする。
【０００６】
また本発明は、低コストで簡単に真贋判定が可能であって、被着体のイミテーション防止に効果があるセキュリティラベルを提供することを課題とする。
【０００７】
また本発明は、通常では目視することが困難であってラベル表面を着色することにより正規の真贋判定用画像を目視することができるようにしたセキュリティラベルを提供することを課題とする。
【０００８】
また本発明は、ラベルの真贋を判断するための操作ないし手段として、日常簡単に手にすることができるサインペンなどの筆記具を用いることができるセキュリティラベルを提供することを課題とする。
【０００９】
【課題を解決するための手段】
すなわち本発明は、ラベル基材の表面の一部に剥離性塗剤を塗布することに着目したもので、ラベル基材を有し被着体に貼り付け可能なセキュリティラベルであって、上記ラベル基材の表面の一部に剥離性塗剤による真贋判定用画像を形成したことを特徴とするセキュリティラベルである。
【００１０】
上記剥離性塗剤は、紫外線硬化型シリコーンと、電子線硬化型シリコーンと、熱硬化型シリコーンと、紫外線硬化型シリコーンを含む紫外線硬化型樹脂組成物と、電子線硬化型シリコーンを含む電子線硬化型樹脂組成物と、熱硬化型シリコーンを含む熱硬化型樹脂組成物と、紫外線に対して不活性なシリコーンを含む紫外線硬化型樹脂組成物と、電子線に対して不活性なシリコーンを含む電子線硬化型樹脂組成物と、熱に対して不活性なシリコーンを含む熱硬化型樹脂組成物と、のいずれかひとつからこれを選択することができる。
【００１１】
上記剥離性塗剤による上記真贋判定用画像は、上記ラベル基材に筆記具により着色して得た着色部とは識別して目視可能である。
【００１２】
当該セキュリティラベルは、台紙の上に複数枚のラベルを仮着した構成の一般的なラベルであって、その表面が一般的には白色のもの、あるいは任意の色に着色したものに採用することができる。
【００１３】
本発明によるセキュリティラベルにおいては、ラベル基材の表面の一部に剥離性塗剤を塗布して真贋判定用画像を形成するようにしたので、このラベルを商品や部品その他の被着体に貼りつけた状態では、この真贋判定用画像を目視することは困難である。
セキュリティラベル表面の真贋判定用画像が形成されている所定の部位をサインペンなどによりなぞって任意の色に着色すると、真贋判定用画像はインキをはじいて着色されず、そのまわりが着色されるので、所定の真贋判定用画像が浮き出ることになって正規のラベルと判定することができる。逆に、真贋判定用画像が浮き出ないものは偽物と判定することができる。
しかも、日常簡単に手に入るサインペンその他任意の筆記具を用いて真贋の判定を行うことができるので、簡単な操作とすることができ、従来のようなコストが高く取扱いや保管が面倒な専用の機器を準備しておく必要がない。
【００１４】
【発明の実施の形態】
つぎに本発明の実施の形態によるセキュリティラベル１を図１ないし図３にもとづき説明する。
図１は、セキュリティラベル１の斜視図、図２は、図１のＩＩ−ＩＩ線断面図であって、セキュリティラベル１は、台紙２と、ラベル３と、を有する。
台紙２は、その表面に剥離剤を塗布し、複数枚のラベル３を仮着している。ラベル３は、ラベル基材４の裏面に粘着剤層５を塗布形成し、その表面に任意の内容を印刷可能としたものである。
【００１５】
ラベル基材４としては、上質紙、コート紙、アート紙、キャストコート紙のような紙基材、合成紙、ＰＥＴフィルム、ＰＥフィルム、ＰＰフィルムをはじめとする合成樹脂フィルム、さらに、サーマル紙、フィルムベースのサーマル紙などが使用可能である。
【００１６】
粘着剤層５としては、エマルジョン系、ソルベント系、ホットメルト系などの粘着剤が使用可能で、その粘着力は被着体から容易に剥がれにくい、いわゆる強粘レベル以上であることが望ましい。なお、台紙２の剥離剤は、ラベル３の粘着剤層５における粘着剤や粘着力、あるいは手貼りや自動貼りなどその貼付け方法などに応じて任意に選択可能である。
【００１７】
ラベル３の表面には、バーコード６やプレ印刷７と、これらとは異なる領域に印刷した剥離性塗剤による真贋判定用画像８（図１、図２中仮想線）と、を設けている。
【００１８】
バーコード６やプレ印刷７は、任意の情報を含む一般的な印刷で、目視可能であり、剥離性塗剤による真贋判定用画像８と同時に印刷する。また、バーコード６は、セキュリティラベル１のロールをラベルプリンター（図示せず）に装填して印刷形成してもよい。
【００１９】
真贋判定用画像８の剥離性塗剤は、紫外線、電子線あるいは熱などにより硬化可能な塗剤であって、紫外線硬化型シリコーンと、電子線硬化型シリコーンと、熱硬化型シリコーンと、紫外線硬化型シリコーンを含む紫外線硬化型樹脂組成物と、電子線硬化型シリコーンを含む電子線硬化型樹脂組成物と、熱硬化型シリコーンを含む熱硬化型樹脂組成物と、反応性がないシリコーンを含む紫外線硬化型樹脂組成物と、反応性がないシリコーンを含む電子線硬化型樹脂組成物と、反応性がないシリコーンを含む熱硬化型樹脂組成物と、のいずれかひとつからこれを選択することができる。
真贋判定用画像８は、あらかじめ印刷された文字、数字、記号その他任意の図柄であって、無色透明で目視することが困難である。
真贋判定用画像８の形成位置は任意であるが、セキュリティラベル１（ラベル３）の外観から見つかりにくい位置にすることが望ましい。また、バーコード６やプレ印刷７などがある場合には、たとえば文字と文字との間に真贋判定用画像８を形成するなどの工夫を施す。
あるいは真贋判定の精度を上げるためには、真贋判定用画像８を細い文字や記号としたり、文字などに商品の種類やロット、製造月日に対応した暗号などを付加すれば、さらに偽造しにくく、真贋判定もしやすくなる。
【００２０】
こうした構成のセキュリティラベル１を使用する場合を図３にもとづき説明する。
図３は、セキュリティラベル１のラベル３を台紙２から剥がして、機械部品その他任意の被着体９に貼り付けた状態の斜視図であって、この貼り付けた状態では、無色透明な剥離性塗剤による真贋判定用画像８を目視することは困難で、真贋判定機能を有するセキュリティラベル１であることに気づかれにくく、偽造されにくい。
このセキュリティラベル１の真贋を判定するためには、図示のように、水性インキあるいは油性インキサインペンあるいは鉛筆などの筆記具１０を用いてラベル３の表面における真贋判定用画像８の部分をなぞると、真贋判定用画像８がない部分は筆記具１０による任意の色の着色部１１となる。一方、剥離性塗剤による真贋判定用画像８がある部分は筆記具１０のインキなどがはじかれて、着色しないが、その輪郭がそのまわりの着色部１１との対比により目視可能となる。
かくして、この非着色部分である真贋判定用画像８の有無を確認することにより、セキュリティラベル１の真贋を判定することができる。すなわち、非着色部分がない場合には（つまり、筆記具１０でなぞった部位がすべて着色部１１となる場合には）、このラベルがイミテーションラベルであり、このラベルを貼った商品（被着体９）も偽造品であると判定することができる。
もちろん、着色部１１の中に剥離性塗剤による真贋判定用画像８が確認されればセキュリティラベル１および被着体９は本物であると判定する。
【００２１】
さらに、上述のような真贋判定作業は、判定用の専門の機器を必要とせず、身近にある筆記具１０を用いて簡単に実行することができる。
また、剥離性塗剤により真贋判定用画像８を印刷するだけであるので、複雑な印刷工程を必要とせず、安価に製造可能である。
【００２２】
なお、ラベル３の表面が所定の色に着色されている場合には、剥離性塗剤による真贋判定用画像８を無色透明にするほか、その色をラベル３の地の色と同じとすれば、その目視を困難にすることができ、この場合には、ラベル３の地の色とは異なる色の筆記具１０により真贋判定用画像８の部分をなぞることが必要となる。
【００２３】
【発明の効果】
以上のように本発明によれば、ラベルの表面に剥離性塗剤による真贋判定用画像を施したので、ラベルのバーコードやプレ印刷などを模倣してラベルを作成しても、判定操作の結果、筆記具による着色部の中に真贋判定用画像という非着色部が浮き出なければ、偽造品と判定することができる。
【図面の簡単な説明】
【図１】本発明の実施の形態によるセキュリティラベル１の斜視図である。
【図２】図１のＩＩ−ＩＩ線断面図である。
【図３】同、セキュリティラベル１のラベル３を台紙２から剥がして、機械部品その他任意の被着体９に貼り付けた状態の斜視図である。
【符号の説明】
１  セキュリティラベル（実施の形態、図１）
２  台紙
３  ラベル
４  ラベル基材
５  粘着剤層
６  バーコード
７  プレ印刷
８  剥離性塗剤による真贋判定用画像
９  被着体（図３）
１０  筆記具（図３）
１１  着色部（図３）
【図１】
2004177900.tif 000003
【図２】
2004177900.tif 000004
【図３】
2004177900.tif 000005